(57)【要約】【課題】供用中でも受圧板の孔からの腐食水の侵入を防ぐことが出来るようにする。【解決手段】支持装置４は中心にアンカー頭部を挿通する貫通孔を形成した上部支圧板５と、支圧板５の上部に配置されて、前記アンカー２の頭部を固定する固定具と、支圧板５の下部に一体に垂設され貫通孔より大きい内径とした中空コラム６と、受圧板１上に設置され、コラム６を昇降可能に挿通する貫通孔を形成した下部支圧板７と、コラム６の外周部にあって、支圧板５，７間に介在された皿バネと８を備え、支圧板７における貫通孔の上部周縁に溝７ｂを形成し、この溝７ｂにパッキン１２を嵌合する一方、下部支圧板７上にはコラム６を摺動可能に挿通する押さえ板１４を配置して溝上部を覆った。【選択図】    図２
2005139645.tif 000002
【特許請求の範囲】
【請求項１】
受圧板上に配置され、受圧板を貫通してこれの上部に突出するアンカー頭部を固定した支持装置であって、
前記支持装置は、中心に前記アンカー頭部を挿通する貫通孔を形成した上部支圧板と、
上部支圧板の上部に配置されて、前記アンカー頭部を固定する固定具と、
上部支圧板の下部に一体に垂設された前記貫通孔より大きい内径とした中空のガイドコラムと、
前記受圧板上に設置され、かつ中心に前記ガイドコラムを昇降可能に挿通する貫通孔を形成した下部支圧板と、
前記ガイドコラムの外周部にあって、上下の支圧板間に介在され、前記アンカー頭部に加わる荷重の増減により伸縮する一または複数の皿バネとを備え、
前記下部支圧板における貫通孔の上部周縁に溝を形成し、この溝には前記ガイドコラムの外周に摺動接触するパッキンを嵌合し、下部支圧板上には前記ガイドコラムを摺動可能に挿通するとともに、前記皿バネを受ける押さえ板を配置し、この押さえ板により溝上部を覆ったことを特徴とするアンカー支持装置。
【請求項２】
請求項１において、前記受圧板と下部支圧板との接合部に止水性材料を介在させたことを特徴とするアンカー支持装置。
【請求項３】
請求項２において、前記止水性材料が充填性接着剤であることを特徴とするアンカー支持装置。
【請求項４】
請求項２において、前記止水性材料がパッキンであり、該パッキンは下部支圧板の下面にあって、前記貫通孔と同心に刻設された溝内に配置されるものであることを特徴とするアンカー支持装置。
【発明の詳細な説明】
【技術分野】
【０００１】
本発明は、地盤の補強や、構造物を斜面に固定するために用いられるグランドアンカーに関し、特に受圧板上部に配置されてアンカーの頭部を固定する支持装置に関する。
【背景技術】
【０００２】
一般のグランドアンカーシステムでは、供用中に地盤が変状を起こし、膨張収縮した場合、それに応じてアンカー頭部も当初の位置から移動するが、地表部に固定されたコンクリート構造物からなる受圧板と、アンカー頭部を支持する支圧板が接触した状態になって動き、相対位置は変動しない（特許文献１〜４）。
【０００３】
従って、このときアンカー頭部背後の止水装置は地盤が変状を起こしても常に一体になって動き、施工時に止水処理を施した後は長期に亘ってその機能が維持されるようになっている。
【特許文献１】特許第２９９７９０１号明細書
【特許文献２】特許第２９１３５１６号明細書
【特許文献３】特開平１１−２６４１３５号明細書
【特許文献４】特開平６−３６６７２７号明細書
【発明の開示】
【発明が解決しようとする課題】
【０００４】
これに対し、地盤に変状をきたした場合の緩衝機構として、アンカー頭部での荷重増減を緩和させるための皿バネを備えた支持装置を受圧板上に設けたものもある。  
ところで、このように動きを伴うアンカー支持装置を受圧板上に設けた場合には、受圧板の孔から侵入してきた腐食環境により、皿バネおよびアンカー頭部が発錆し、耐久性が低下するおそれがあるため、その保護対策が必要となる。
【０００５】
アンカー頭部のみの腐食対策であれば、上部支圧板より上側については、従来の永久アンカーシステムの防食方法と同様の方法で保護することができる。しかし、この防食方法では、皿バネを有する構造の部分までの防食は無理である。また、皿バネのみの防食を樹脂塗装等により行うことも考えられるが、繰り返し荷重の作用により、皿バネ同士が接触して、その部分で塗装が剥がれるおそれがあるため、腐食対策としては万全ではない。そこで、皿バネおよびアンカー頭部を収納する受圧板のくぼみ部分全体への腐食環境の侵入がないようにする方法が必要となる。
【０００６】
本発明は、以上の課題を解決するものであり、その目的は、供用中でも受圧板の孔からの腐食水の侵入を防ぐことが出来るようにしたアンカー用支持装置を提供するものである。
【課題を解決するための手段】
【０００７】
前記目的を達成するため、本発明は、 受圧板上に配置され、受圧板を貫通してこれの上部に突出するアンカー頭部を固定した支持装置において、前記支持装置は、中心に前記アンカー頭部を挿通する貫通孔を形成した上部支圧板と、上部支圧板の上部に配置されて、前記アンカー頭部を固定する固定具と、上部支圧板の下部に一体に垂設された前記貫通孔より大きい内径とした中空のガイドコラムと、前記受圧板上に設置され、かつ中心に前記ガイドコラムを昇降可能に挿通する貫通孔を形成した下部支圧板と、前記ガイドコラムの外周部にあって、上下の支圧板間に介在され、前記アンカー頭部に加わる荷重の増減により伸縮する一または複数の皿バネとを備え、前記下部支圧板における貫通孔の上部周縁に溝を形成し、この溝には前記ガイドコラムの外周に摺動接触するパッキンを嵌合し、下部支圧板上には前記ガイドコラムを摺動可能に挿通するとともに、前記皿バネを受ける押さえ板を配置し、この押さえ板により溝上部を覆ったことを特徴とする。
【０００８】
また、本発明では、前記受圧板と下部支圧板との接合部に止水性材料を介在させたことを特徴とする。さらに、本発明では、前記止水性材料が充填性接着剤であることを特徴とする。またさらに、本発明では、前記止水性材料がパッキンであり、該パッキンは下部支圧板の下面にあって、前記貫通孔と同心に刻設された溝内に配置されるものであることを特徴とする。
【発明の効果】
【０００９】
したがって、本発明によれば、摺動接触部である鋼管と下部受圧板の貫通孔との間に介在されるパッキンにより止水がなされ、これにより防食効果を向上できる。また、請求項２〜４にかかる発明によれば、受圧板と下部支圧板間の止水性も確保できる。
【発明を実施するための最良の形態】
【００１０】
以下、本発明の実施の形態を添付図面を参照して説明する。図１（ａ），（ｂ）は本発明に係る受圧板及びこれの上部に配置された支持装置を示す断面図、図２は同支持装置の分解斜視図である。
【００１１】
同図において、地表面に設置された断面略凹形のコンクリート製受圧板１の中心に形成された貫通孔１ａを上下に貫通して一本のスリーブ２内に複数のＰＣ鋼材からなる緊張材３が配置・収納されている。
【００１２】
緊張材３の下部側は地盤内に所定の深度で埋設固定されているとともに、その頭部は受圧板１の上部に配置されたアンカー支持装置４に連結している。
【００１３】
支持装置４は、その中心に前記アンカー頭部を挿通する貫通孔５ａを形成した鋼板からなる矩形状の上部支圧板５と、上部支圧板５の下部に一体に垂設され、前記貫通孔５ａより大きい内径とした中空のガイドコラム６と、前記受圧板１上に設置され、かつその中心に前記ガイドコラム６を昇降可能に挿通する貫通孔７ａを形成した鋼板からなる矩形状の下部支圧板７と、前記ガイドコラム６の外周部にあって、上下の支圧板５，７間に介在され、前記アンカー頭部に加わる荷重の増減により伸縮する１または複数（本実施の形態では合計４枚）の皿バネ８とを備え、各皿バネ８は１ないし複数枚の皿バネをそろばん玉状、すなわち小径部同士、大径部同士が接するように配列し、これによって上下方向の弾性を得られるようにしたものである。
【００１４】
前記上部支圧板４上には、固定具、すなわち頭部止水装置兼用の取付座９及びこれに上下調整可能にねじ込まれたアンカーディスク１０が配置され、このアンカーディスク１０の頂部には前記貫通孔１ａを貫通する各緊張材３の頭部に連結したくさび１１が挿通され、各緊張材３の頭部をアンカーディスク１０上に、緊張材に所定の緊張力（テンション）を加えた状態で固定している。
【００１５】
前記下部支圧板７における貫通孔７ａの上部周囲には溝７ｂが形成され、この溝７ｂには前記ガイドコラム６の外周に摺動接触するゴムパッキン、すなわちＯリング１２が嵌合している。
【００１６】
また、溝７ｂ上には前記皿バネ８の下部を支持するとともに、中心に前記ガイドコラム６を挿通する貫通孔１４ａを形成した矩形状の押さえ板１４を配置し、この押さえ板１４によりＯリング１２の抜けを防止すると同時に、荷重が加わった際にＯリング１２を扁平状に変形させ、その内側をガイドコラム６の外周に直接接触させるようにしている。
【００１７】
さらに、下部支圧板７の底面、すなわち前記受圧板１に対する接合面には、前記貫通孔７ａと同心の凹溝７ｃが刻設され、この凹溝７ｃにはＯリング１５が嵌合され、受圧板１の貫通孔１ａ周縁をこのＯリング１５により液密に封止し、発錆要素の侵入を防止している。
【００１８】
なお、Ｏリング１５でなく、受圧板１と下部支持板７との間に充填性接着剤を塗布しておき、この部分の液密性を高めた状態で下部支圧板７を受圧板１の上面に固定するようにしてもよいし、Ｏリング１５とともに充填性接着剤を併用することも可能である。充填性接着剤としては、エポキシ樹脂、シリコン樹脂接着剤などが好ましい。
【００１９】
さらに、図１中、符号１６は、周縁を前記受圧板１に固定され、支持装置４全体を覆う断面台形状のカバーである。
【００２０】
以上において、前記ガイドコラム６は鋼管からなり、上部支圧板５の下部に溶接などによって一体化されたもので、その周囲を前記Ｏリング１２の内側に摺動接触しつつ地盤変状に応じて相対的に昇降する。
【００２１】
図１（ａ）は荷重が加わっていない状態であり、各皿バネ８はそのバネ圧により互いに離間側に付勢され、緊張材２を所定のテンションで支持している。
【００２２】
この状態から、地盤が引き込み方向に変状すると、（ｂ）の矢印に示すように、緊張材２に引き込み方向のテンションが加わる結果、各皿バネ８を扁平側に弾性変位させつつ上部支圧板５及びガイドコラム６が下降し、この緩衝効果により荷重増減を緩和する。
【００２３】
昇降時におけるガイドコラム６の摺動接触部は、前記Ｏリング１２の内側のみであり、この部分の上下に伴う水などの受圧板１の内側、すなわちアンカー頭部を収納する受圧板のくぼみ部分への侵入がない。したがって、皿バネ８の伸縮に伴う接触により、塗装が剥がれても、ガイドコラム６は常時止水性を確保した状態で上下動するため、長期にわたり腐食から保護することができる。
【００２４】
なお、ガイドコラム６についてはそのものの腐食防止のため、内外表面にメッキ、防錆塗装などの表面処理を施しておけばよい。
【図面の簡単な説明】
【００２５】
【図１】（ａ）は本発明に係る受圧板及び支持装置を示す断面図、（ｂ）は同装置に地盤変状による変形力が作用した状態を示す断面図である。
【図２】同支持装置の分解斜視図である。
【符号の説明】
【００２６】
１  受圧板
３  緊張材（アンカー）
４  支持装置
５  上部支圧板
５ａ  貫通孔
６  ガイドコラム
７  下部支圧板
７ａ  貫通孔
７ｂ，７ｃ  溝
８  皿バネ（圧縮バネ）
９，１０，１１  固定具（９  取付座、１０  アンカーディスク、１１  くさび）  
１２  Ｏリング（パッキン）
１４  押さえ板
１５  Ｏリング（止水性材料）
【図１】
2005139645.tif 000003
【図２】
2005139645.tif 000004